(57)【要約】      （修正有）【課題】使用者のタッチ時間に応じて輝度を調整する発光ダイオード照明器具及びその輝度制御インターフェースを提供する。【解決手段】発光ダイオード照明器具及びその輝度制御インターフェースにおいて、前記発光ダイオード照明器具は少なくとも一つの発光ダイオードと電源供給装置と輝度制御インターフェースと制御装置とを備え、前記電源供給装置と少なくとも一つの発光ダイオードと電気的に接続して少なくとも一つの発光ダイオードに電流を提供し、前記輝度制御インターフェースは使用者のタッチ信号を感知して制御信号を生成するためのもので、前記第一制御装置は前記照明の輝度制御インターフェースと電源供給装置とを電気的に接続して前記制御信号に基づいて変調信号を生成し、前記電源供給装置は前記変調信号に基づいて電流の強度を調整し、少なくとも一つの発光ダイオードは電流の強度に基づいてそれに対応する輝度を生じさせる。【選択図】図１
0003164349.tif 000002
【実用新案登録請求の範囲】
【請求項１】
少なくとも一つの発光ダイオードと、
前記の少なくとも一つの発光ダイオードと電気的に接続して少なくとも一つの発光ダイオードに電流を提供する電源供給装置と、
使用者のタッチ信号を感知して制御信号を生成する輝度制御インターフェースと、
前記照明の輝度制御インターフェースと前記電源供給装置とを電気的に接続して前記制御信号に基づいて変調信号を生成する第一制御装置とにより構成され、
前記電源供給装置は前記変調信号に基づいて電流の強度を調整するため、少なくとも一つの発光ダイオードは前記電流の強度に基づいてそれに対応する輝度を生じさせることを特徴とする発光ダイオード照明器具。
【請求項２】
前記輝度制御インターフェースは、
使用者のタッチ時間を感知してセンサー信号を生成するタッチセンサーと、
前記タッチセンサーと電気的に接続して前記センサー信号に基づいて制御信号を生成して第一制御装置に前記制御信号に基づく変調信号を生成させる第二制御装置とにより構成されることを特徴とする請求項１記載の発光ダイオード照明器具。
【請求項３】
前記タッチセンサーは静電容量式タッチセンサーとすることを特徴とする請求項２記載の発光ダイオード照明器具。
【請求項４】
前記制御信号はパルス幅変調信号とし、第一制御装置は前記制御信号に基づき変調信号を生成することを特徴とする請求項２記載の発光ダイオード照明器具。
【請求項５】
前記発光ダイオード照明器具は輝度制御インターフェースと電気的に接続し、前記輝度制御インターフェースは使用者のタッチ時間を感知して制御信号を生成し、前記発光ダイオード照明器具は、少なくとも一つの発光ダイオードと、前記の少なくとも一つの発光ダイオードと電気的に接続して少なくとも一つの発光ダイオードに電流を提供する電源供給装置と、照明の輝度制御インターフェース及び電源供給装置と電気的に接続して前記制御信号に基づいて変調信号を生成する制御装置とから構成され、
前記電源供給装置は前記変調信号に基づいて電流の強度を調整し、少なくとも一つの発光ダイオードは前記電流の強度に基づいてそれに対応する輝度を生じさせることを特徴とする発光ダイオード照明器具。
【請求項６】
前記制御信号はパルス幅変調信号とし、制御装置は前記パルス幅変調信号に基づき変調信号を生成することを特徴とする請求項５記載の発光ダイオード照明器具。
【請求項７】
発光ダイオード照明器具と電気的に接続し、
使用者のタッチ時間を感知してセンサー信号を生成するタッチセンサーと、
前記タッチセンサーと電気的に接続して前記センサー信号に基づいて制御信号を生成して発光ダイオード照明器具に前記制御信号に基づきそれに対応する輝度を生じさせる制御装置とにより構成することを特徴とする輝度制御インターフェース。
【請求項８】
前記タッチセンサーは静電容量式タッチセンサーとすることを特徴とする請求項７記載の輝度制御インターフェース。
【請求項９】
前記制御信号はパルス幅変調信号とし、前記発光ダイオード照明器具は前記パルス幅変調信号に基づきそれに対応する輝度を生じさせることを特徴とする請求項７記載の輝度制御インターフェース。
【考案の詳細な説明】
【技術分野】
【０００１】
本考案は発光ダイオード照明器具及びその輝度制御インターフェースに係り、具体的には、本考案は使用者のタッチ時間に応じて輝度を調整する発光ダイオード照明器具及びその輝度制御インターフェースに関する。
【背景技術】
【０００２】
人々は昔から石油や火による照明を使用して夜間活動を行ってきた。しかし、石油や火により提供される照明の品質は不安定で持続しなかったが、電力を使った照明器具の考案により前記照明器具の欠点は大幅に改善された。更に近年の照明科学技術の進歩に伴い、電力照明器具中に用いられている電球が発光ダイオードに取って代わられていくのが未来の照明器具の趨勢である。
【０００３】
現在の市場に見られる公知の照明器具をみると、電球または蛍光灯による照明提供が主な手段であるが、電球や蛍光灯は電力使用上、効率的ではない。更に公知の照明器具の明るさ調整をする制御装置は通常機械式の回転つまみスイッチであり、使用者は回転力を回転つまみスイッチに与えることで、灯具の明るさをコントロールする目的を達成する。しかし、機械式回転つまみスイッチは長年使用すると長期的な摩擦が原因で損傷を受け易くなり、使用者にとっては、回転力を機械式回転つまみスイッチに与えて照明器具の明るさを調整する方法は不便である。
前述したものをまとめると、如何に電気エネルギー使用において照明器具の効率を高め、使用者に更に簡単で直感的な輝度制御方法を提供するかが当該分野の業者が解決すべき問題点である。
【考案の概要】
【考案が解決しようとする課題】
【０００４】
本考案の目的は、使用者が輝度制御インターフェースを通して発光ダイオード照明器具の輝度を調整する発光ダイオード照明器具及びその輝度制御インターフェースを提供することにある。
【課題を解決するための手段】
【０００５】
上述目的を達成するために本考案の発光ダイオード照明器具は少なくとも一つの発光ダイオードと電源供給装置と輝度制御インターフェースと制御装置とを備える。前記電源供給装置と少なくとも一つの発光ダイオードとは電気的に接続して少なくとも一つの発光ダイオードに電流を提供し、前記輝度制御インターフェースは使用者のタッチ信号を感知して制御信号を生成するためのもので、前記制御装置は前記照明の輝度制御インターフェースと電源供給装置とを電気的に接続して前記制御信号に基づいて変調信号を生成し、前記電源供給装置は前記変調信号に基づいて電流の強度を調整し、少なくとも一つの発光ダイオードは電流の強度に基づいてそれに対応する輝度を生じさせる。
【０００６】
また、前述目的を達成するために本考案の発光ダイオード照明器具は輝度制御インターフェースと電気的に接続し、前記輝度制御インターフェースは使用者のタッチ時間を感知して制御信号を生成し、前記発光ダイオード照明器具は少なくとも一つの発光ダイオードと電源供給装置と制御装置を備え、前記電源供給装置は少なくとも一つの発光ダイオードと電気的に接続して電流を少なくとも一つの発光ダイオードに送り、前記制御装置は照明の輝度制御インターフェース及び電源供給装置と電気的に接続して前記制御信号に基づいて変調信号を生成し、前記電源供給装置は前記変調信号に基づいて電流の強度を調整し、少なくとも一つの発光ダイオードは前記電流の強度に基づいてそれに対応する輝度を生じさせる。
【０００７】
更に前述目的を達成するために、本考案の輝度制御インターフェースは発光ダイオードと電気的に接続し、前記輝度制御インターフェースはタッチセンサーと制御装置とを含み、前記タッチセンサーは使用者のタッチ時間を感知してセンサー信号を生成し、前記制御装置はタッチセンサーと電気的に接続して前記センサー信号に基づいて制御信号を生成するため、発光ダイオード照明器具は前記制御信号に基づいてそれに対応する輝度を生じさせる。
【考案の効果】
【０００８】
前述をまとめると、本考案の輝度制御インターフェースは使用者のタッチ時間を感知して発光ダイオード照明器具の照明輝度を調整するものであり、言い換えると、本考案を使って使用者は、特別に回転させる力を使わずにタッチ方式で発光ダイオード照明器具の輝度をコントロールでき、また、前記タッチ式の輝度制御インターフェースと公知の機械式回転つまみスイッチを比較すると、比較的損傷し難い長所を有する故に公知技術の欠点を効果的に克服する。
【図面の簡単な説明】
【０００９】
【図１】本考案の第一実施例に関するブロック図である。
【図２】本考案の第二実施例に関するブロック図である。
【考案を実施するための形態】
【００１０】
図面及び下記に説明した実施形態を参照することにより当該技術分野での一般知識を有する者なら本考案のその他の目的、技術手段及び実施形態を理解することが可能である。
【００１１】
図１に本考案の第一実施例に関する発光ダイオード照明器具１のブロック図を示す。前記発光ダイオード照明器具１は室内或いは室外の環境に置いて、前記環境にいる使用者の照明に用いる。発光ダイオード照明器具１は少なくとも一つの発光ダイオード１１と電源供給装置１３と輝度制御インターフェース１５と第一制御装置１７を備える。第一制御装置１７と輝度制御インターフェース１５と電源供給装置１３とは電気的に接続し、電源供給装置１３は更に少なくとも一つの発光ダイオード１１と電気的に接続して電流１３０を少なくとも一つの発光ダイオード１１に提供するため、少なくとも一つの発光ダイオード１１は電流１３０の提供するエネルギーによって発光する。
【００１２】
前記輝度制御インターフェース１５は使用者のタッチ時間を感知して制御信号１５０を生成し、第一制御装置１７は前記制御信号１５０に基づいて変調信号１７０を生成して電源供給装置１３に送り、前記電源供給装置１３は前記変調信号１７０に基づいて電流１３０の強度を調整するため、少なくとも一つの発光ダイオード１１は前記電流１３０強度に基づいてそれに対応する輝度を生じさせる。よって、使用者はタッチ方式で発光ダイオード照明器具１の少なくとも一つの発光ダイオード１１の輝度を調整する目的を達成する。
【００１３】
前述を詳述すると、輝度制御インターフェース１５はタッチセンサー１５１と第二制御装置１５３とを備え、前記第二制御装置１５３はタッチセンサー１５１と電気的に接続させる。使用者が輝度を調整する場合は輝度制御インターフェース１５にタッチすると、前記タッチセンサー１５１が即刻使用者のタッチ時間を感知してそれに対応するタッチ信号１５２を生成する。タッチ信号１５２を発信した後、第二制御装置１５３はタッチ信号１５２に基づき制御信号１５０を生成し、続いて前述した通り、第一制御装置１７は制御信号１５０に基づいて電源供給装置１３に電流１３０強度調整を行わせる。
【００１４】
注意すべき点であるが、本実施例において制御信号１５０はパルス幅変調信号とし、第一制御装置１７と第二制御装置１５３はそれぞれＦＰＧＡ、ＤＳＰあるいは市場に供給している制御チップとし、タッチセンサー１５１は静電容量式タッチセンサとするが、その他の実施例においてタッチセンサー１５１はその他タイプのタッチセンサーとしてもよく、これに制限されないものとする。
【００１５】
発光ダイオード照明器具１の技術特徴を更に明らかにするために、次に例を挙げて説明を行う。例えば現在の発光ダイオード照明器具１が室内環境に配置して照明を提供するものなら、現在の発光ダイオード照明器具１の発光ダイオード１１の発する輝度を1カンデラとし、且つ輝度制御インターフェース１５のタッチセンサー１５１がタッチされる0.5秒毎に、発光ダイオード照明器具１の発光ダイオード１１が発する輝度は1カンデラ高まる。この仮定の下、前記室内環境にいる使用者が室内照明の明るさが不足していると感じた時、継続的に輝度制御インターフェース１５のタッチセンサー１５１に触れると、タッチセンサー１５１はタッチされていることを持続的に感知する。
【００１６】
例を挙げると、使用者が継続的に5秒間タッチするとタッチセンサー１５１は持続的にタッチされているのを感知しタッチ信号１５２を生成、第二制御装置１５３はタッチ信号１５２に基づいて生成した制御信号１５０を第一制御装置１７に送信するため、第一制御装置１７は制御信号１５０に基づいて変調信号１７０を生成する。続いて、電源供給装置１３は変調信号１７０に基づいて電流１３０の強度を調整し、発光ダイオード照明器具１の発光ダイオード１１は調整後の電流１３０の強度に基づいて、それに対応する11カルデラの輝度を生じさせる。
【００１７】
図２に本考案の第二実施例に関する発光ダイオード照明システム２のブロック図を示す。発光ダイオード照明システム２は発光ダイオード照明器具３と輝度制御インターフェース１５を備え、前記発光ダイオード照明器具３は輝度制御インターフェース１５と電気的に接続し、本実施例において輝度制御インターフェース１５はタッチセンサー１５１と制御装置１５７とを備え、前記発光ダイオード照明器具３は少なくとも一つの発光ダイオード１１と電源供給装置１３と制御装置１９とを備える。
【００１８】
説明すべき点は、輝度制御インターフェース１５の制御装置１５７に備える機能は第一実施例で述べた第二制御装置１５３と同様であり、発光ダイオード照明器具３の制御装置１９に備える機能は第一制御装置１７と同様である点であり、輝度制御インターフェース１５の制御装置１５７もまたタッチセンサー１５１の生成するタッチ信号１５２に基づいて制御信号１５０を生成し、続いて発光ダイオード照明器具３の制御装置１９もまた制御信号１５０に基づいて変調信号１７０を生成し、制御信号１５０と変調信号１７０の作用は既に第一実施例において説明した通りであるので、ここでは省略する。
【００１９】
更に、図２から分かる通り、本実施例の発光ダイオード照明器具３と輝度制御インターフェース１５はそれぞれ室内或いは室外環境の異なる箇所に配置し、例えば発光ダイオード照明器具３をオフィスの天井に配置することで最良の照明効果を発揮させ、輝度制御インターフェース１５を壁に配置して輝度制御インターフェース１５を通して発光ダイオード照明器具３の輝度を調整するために使用者の利便を図るなど、所属分野において通常の知識を有する者であるなら第一実施例記載の内容に基づき第二実施例との相違点を理解することが可能である故、ここでは説明を省く。
【００２０】
前述をまとめると、本考案の輝度制御インターフェースは使用者のタッチ時間を感知して発光ダイオード照明器具の照明輝度を調整するものであり、言い換えると、本考案を使って使用者は、特別に回転させる力を使わずにタッチ方式で発光ダイオード照明器具の輝度をコントロールでき、また、前記タッチ式の輝度制御インターフェースと公知の機械式回転つまみスイッチを比較すると、比較的損傷し難い長所を有する故に公知技術の欠点を効果的に克服するものである。
【００２１】
前述した実施例は本考案の実施形態に関する例として本考案の技術特徴を闡明したものであり、本考案の保護範囲を制限するものではない故、この技術に熟知する何れかの者が簡単に完成させた変化や同等効果を有する修飾は全て本考案の主張する範囲に含まれ、本考案の権利保護範囲は実用新案登録請求の範囲を基準とすることをここに記する。
【符号の説明】
【００２２】
１    発光ダイオード照明器具
１１    発光ダイオード
１３    電源供給装置
１３０    電流
１５    輝度制御インターフェース
１５０    制御信号
１５１    タッチセンサー
１５２    タッチ信号
１５３    第二制御装置
１５７    制御装置
１７    第一制御装置
１７０    変調信号
１９    制御装置
２    発光ダイオード照明システム
３    発光ダイオード照明器具
【図１】
0003164349.tif 000003
【図２】
0003164349.tif 000004
【手続補正書】
【提出日】平成22年9月29日(2010.9.29)
【手続補正１】
【補正対象書類名】実用新案登録請求の範囲
【補正対象項目名】請求項５
【補正方法】変更
【補正の内容】
【請求項５】
発光ダイオード照明器具は輝度制御インターフェースと電気的に接続し、前記輝度
制御インターフェースは使用者のタッチ時間を感知して制御信号を生成し、前記発光ダイオード照明器具は、少なくとも一つの発光ダイオードと、前記の少なくとも一つの発光ダイオードと電気的に接続して少なくとも一つの発光ダイオードに電流を提供する電源供給装置と、照明の輝度制御インターフェース及び電源供給装置と電気的に接続して前記制御信号に基づいて変調信号を生成する制御装置とから構成され、
前記電源供給装置は前記変調信号に基づいて電流の強度を調整し、少なくとも一つの発光ダイオードは前記電流の強度に基づいてそれに対応する輝度を生じさせることを特徴とする発光ダイオード照明器具。